【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
主ラインｎとＵ本の漏話ラインとの間の漏話結合を表すデータをＤＳＬシステムから取得し、
指数ｕによって前記Ｕ本の漏話ラインを順序付け（３８０）、ｕ＝１は最大の漏話ラインでありｕ＝Ｕは最小の漏話ラインであり、
前記主ラインと各漏話ラインとの間の漏話結合を表すＤＳＭデータ量を発生する（３９０）ことを備えた、多ラインベクタードＤＳＬシステムの動作特性を評価する方法（３００）。
【請求項２】
前記ＤＳＭデータ量がデシベル量値であるＸｌｏｇ（ｕ，ｎ）である、請求項１の方法。
【請求項３】
前記量Ｘｌｏｇ（ｕ，ｎ）は１０ビット符号無し整数ｍ（ｕ，ｎ）であってＸｌｏｇ（ｕ，ｎ）＝６−（ｍ（ｕ，ｎ）／１０）であり、さらにＸｌｏｇ（ｕ，ｎ）は診断および初期化の両モード中に特定する、請求項２の方法。
【請求項４】
前記ライン間漏話結合を表すデータは、前記主ラインと各漏話ラインとの間の遠端漏話伝達関数および／または近端漏話伝達関数を含み、
さらに前記ＤＳＭデータ量Ｘｌｏｇ（ｕ，ｎ）は、前記取得した遠端漏話伝達関数および／または近端漏話伝達関数の挿入損失等価物のデシベル量値である、請求項２の方法。
【請求項５】
結束システム内のｎライン中のライン伝達を表すＤＳＭデータ量Ｘｌｏｇ（ｕ，ｎ）、ｕ＝１，．．．，２ｎ−１を発生することをさらに備えた、請求項２の方法。
【請求項６】
前記ＤＳＭデータ量はＸｌｉｎ（ｕ，ｎ）である、請求項１の方法。
【請求項７】
前記Ｘｌｉｎ（ｕ，ｎ）はスケール（ｕ）因子と正規化複素数ａ（ｕ，ｎ）＋ｊ＊ｂ（ｕ，ｎ）によって線形形式で表し、ｎはサブキャリヤ指数ｎ＝０，．．．，ＮＳＣであり、ＮＳＣは使用するキャリヤの数であり、さらにａ（ｕ，ｎ）およびｂ（ｕ，ｎ）は１６ビットの２の補数の符号付き整数として符号化し、
さらにＸｌｉｎ（ｕ，ｎ）の前記値はＸｌｉｎ（ｕ，ｎ）＝（スケール（ｕ）／２１５）＊（ａ（ｕ，ｎ）＋ｊ＊ｂ（ｕ，ｎ））／２１５と定義し、
さらに前記スケール因子は全てのｎについてｍａｘ（｜ａ（ｕ，ｎ）｜，｜ｂ（ｕ，ｎ）｜）が２１５−１に等しいように選択する、請求項６の方法。
【請求項８】
前記ライン間漏話結合を表すデータは、前記主ラインと各漏話ラインとの間の遠端漏話伝達関数および／または近端漏話伝達関数を含み、
さらに前記ＤＳＭデータ量Ｘｌｉｎ（ｕ，ｎ）は、前記取得した遠端漏話伝達関数および／または近端漏話伝達関数の挿入損失等価物である、請求項６の方法。
【請求項９】
結束システム内のｎライン中のライン伝達を表すＤＳＭデータ量Ｘｌｉｎ（ｕ，ｎ）、ｕ＝１，．．．，２ｎ−１を発生することをさらに備えた、請求項６の方法。
【請求項１０】
送信器フィルタ効果と受信器フィルタ効果とを含んだ主ライン挿入損失を取得し、
当該取得値を指数ｕ＝０に割り当てることで当該取得値をＸｌｉｎ（０，ｎ）として識別することをさらに備えた、請求項６の方法。
【請求項１１】
前記ＤＳＬシステムは多ライン片側ベクタードＤＳＬシステムである、請求項１の方法。
【請求項１２】
前記ＤＳＬシステムは多ライン両側ベクタードＤＳＬシステムである、請求項１の方法。
【請求項１３】
前記ＤＳＬシステムは多ライン結束ベクタードＤＳＬシステムである、請求項１の方法。
【請求項１４】
ＤＳＬシステムから動作データを収集する（５２０）手段と、
前記ＤＳＬシステムの動作特性を計算するため前記収集手段に接続した手段（５５０）と、を備えたコントローラ（５１０）において、
主ラインｎとＵ本の漏話ラインとの間の漏話結合を表すデータを前記ＤＳＬシステムから取得し、
指数ｕによって前記Ｕ本の漏話ラインを順序付け、ｕ＝１は最大漏話ラインでありｕ＝Ｕは最小漏話ラインであり、
前記主ラインと各漏話ラインとの間の漏話結合を表すＤＳＭデータ量を発生することを備えた方法を実行すべく構成した当該コントローラ。
【請求項１５】
前記ＤＳＬシステムは多ラインベクタードＤＳＬシステムである、請求項１４のコントローラ。
【請求項１６】
前記ライン間漏話結合を表すデータは、前記主ラインと各漏話ラインとの間の遠端漏話伝達関数および／または近端漏話伝達関数を含み、
さらに前記主ラインと各漏話ラインとの間の漏話結合を表す前記ＤＳＭデータ量は、前記取得した遠端漏話伝達関数および／または近端漏話伝達関数の挿入損失等価物である、請求項１４のコントローラ。
【請求項１７】
前記主ラインと各漏話ラインとの間の漏話結合を表す前記ＤＳＭデータ量は、
前記主ラインと各漏話ラインとの間の漏話結合を表すデシベル量値であるＸｌｏｇ（ｕ，ｎ）と、
Ｘｌｏｇ（ｕ，ｎ）の線形表現であるＸｌｉｎ（ｕ，ｎ）との少なくとも一つである、請求項１４のコントローラ。
【請求項１８】
前記Ｘｌｉｎ（ｕ，ｎ）はスケール（ｕ）因子と正規化複素数ａ（ｕ，ｎ）＋ｊ＊ｂ（ｕ，ｎ）によって線形形式で表し、ｎはサブキャリヤ指数ｎ＝０，．．．，ＮＳＣであり、ＮＳＣは使用するキャリヤの数であり、さらにａ（ｕ，ｎ）およびｂ（ｕ，ｎ）は１６ビットの２の補数の符号付き整数として符号化し、
さらにＸｌｉｎ（ｕ，ｎ）の前記値はＸｌｉｎ（ｕ，ｎ）＝（スケール（ｕ）／２１５）＊（ａ（ｕ，ｎ）＋ｊ＊ｂ（ｕ，ｎ））／２１５と定義し、
さらに前記スケール因子は全てのｎについてｍａｘ（｜ａ（ｕ，ｎ）｜，｜ｂ（ｕ，ｎ）｜）が２１５−１に等しいように選択する、請求項１７のコントローラ。  
【請求項１９】
前記量Ｘｌｏｇ（ｕ，ｎ）は１０ビット符号無し整数ｍ（ｕ，ｎ）であってＸｌｏｇ（ｕ，ｎ）＝６−（ｍ（ｕ，ｎ）／１０）である、請求項１７のコントローラ。
【請求項２０】
送信器フィルタ効果と受信器フィルタ効果とを含んだ主ライン挿入損失を取得し、
当該取得値を指数ｕ＝０に割り当てることによって当該取得値をＸｌｉｎ（０，ｎ）として識別することをさらに備えた方法を実行すべく構成した、請求項１４のコントローラ。
【請求項２１】
送信器フィルタ効果と受信器フィルタ効果とを含んだ主ライン挿入損失を取得し、
当該取得値を指数ｕ＝０に割り当てることによって当該取得値をＸｌｏｇ（０，ｎ）として識別することをさらに備えた方法を実行すべく構成した、請求項１４のコントローラ。
【請求項２２】
前記収集手段と計算手段とは１以上のコンピュータシステムからなる、請求項１４のコントローラ。
【請求項２３】
機械読み取り可能媒体と、
前記機械読み取り可能媒体に格納したプログラム命令であって多ラインベクタードＤＳＬシステムの動作特性を評価する方法を記述した当該プログラム命令と、を備えるコンピュータプログラム製品であって、前記方法が、
主ラインとＵ本の漏話ラインとの間の漏話結合を表すデータを前記ＤＳＬシステムから取得し、
指数ｕによって前記Ｕ本の漏話ラインを順序付け、ｕ＝１は最大漏話ラインでありｕ＝Ｕは最小漏話ラインであり、
前記主ラインと各漏話ラインとの間の漏話結合を表すＤＳＭデータ量を発生することを備える、当該コンピュータプログラム製品。
【請求項２４】
前記主ラインと各漏話ラインとの間の漏話結合を表す前記ＤＳＭデータ量が、
前記主ラインと各漏話ラインとの間の漏話結合を表すデシベル量値であるＸｌｏｇ（ｕ，ｎ）と、
Ｘｌｏｇ（ｕ，ｎ）の線形表現であるＸｌｉｎ（ｕ，ｎ）との少なくとも一つである、請求項２３のコンピュータプログラム製品。